(57)【要約】      （修正有）【課題】処理能力を増大することができる記録用紙を細断する細断装置を提供する。【解決手段】裁断装置１は、画像読取部１２１、１２２、用紙貯留部１６、及び、裁断部１７を備える。画像読取部１２１、１２２は、用紙Ｐの両面に形成された画像を読み取り、画像情報を生成する。用紙貯留部１６は、画像読取部１２１、１２２によって画像が読み取られた用紙Ｐを、予め設定された２枚以上の第１枚数貯留する。裁断部１７は、用紙貯留部１６に貯留された第１枚数の用紙Ｐを同時に裁断する。【選択図】図１
2017064628.tif 000002
【特許請求の範囲】
【請求項１】
記録用紙を裁断する裁断装置であって、
前記記録用紙の両面に形成された画像を読み取り、画像情報を生成する画像生成部と、
前記画像生成部によって前記画像が読み取られた前記記録用紙を、予め設定された２枚以上の第１枚数貯留する用紙貯留部と、
前記記録用紙を裁断する裁断部と、
を備え、
前記裁断部は、前記用紙貯留部に貯留された前記第１枚数の前記記録用紙を同時に裁断する、裁断装置。
【請求項２】
前記記録用紙を搬送する搬送部と、
前記用紙貯留部に貯留された前記記録用紙の枚数が前記第１枚数に到達したか否かを判定する枚数判定部と、
搬送制御部と
を更に備え、
前記搬送制御部は、前記枚数判定部が、前記記録用紙の枚数が前記第１枚数に到達したと判定したときに、前記搬送部に、前記第１枚数の前記記録用紙を前記裁断部へ搬送させる、請求項１に記載の裁断装置。
【請求項３】
前記裁断部が過負荷で停止したことを検出する過負荷検出部と、
枚数更新部と
を更に備え
前記過負荷検出部が、前記裁断部が過負荷で停止したことを検出したときに、前記枚数更新部は、前記第１枚数から第２枚数を減じて、前記第１枚数を更新する、請求項１又は請求項２に記載の裁断装置。
【請求項４】
前記画像生成部によって生成された画像情報に基づいて、前記記録用紙が、両面に画像が形成されていない白紙であるか否かを判定する白紙判定部と、
強制排出部と
を更に備え
前記白紙判定部が、前記記録用紙が前記白紙であると判定したときに、前記強制排出部は、前記記録用紙を前記裁断部へ搬送せずに排出する、請求項１から請求項３のいずれか１項に記載の裁断装置。
【請求項５】
前記記録用紙を排出する第１経路と、前記記録用紙を前記用紙貯留部へ搬送する第２経路とを切り換える分岐部を更に備え、
前記分岐部は、前記画像生成部に対して前記記録用紙の搬送方向の下流側であって、前記用紙貯留部に対して前記記録用紙の搬送方向の上流側に配置され、
前記記録用紙が前記白紙であると前記白紙判定部が判定したときに、前記強制排出部は前記分岐部を前記第２経路から前記第１経路へ切り換える、請求項４に記載の裁断装置。
【請求項６】
前記画像情報を記憶する画像記憶部を更に備える、請求項１から請求項５のいずれか１項に記載の裁断装置。
【請求項７】
記録用紙を裁断する裁断方法であって、
前記記録用紙の両面に形成された画像を読み取り、画像情報を生成する画像生成工程と、
前記画像生成工程において前記画像が読み取られた前記記録用紙を、予め設定された２枚以上の第１枚数貯留する用紙貯留工程と、
前記記録用紙を裁断する裁断工程と
を含み、
前記裁断工程において、前記第１枚数の前記記録用紙を同時に裁断する、裁断方法。
【発明の詳細な説明】
【技術分野】
【０００１】
本発明は、裁断装置、及び、裁断方法に関する。
【背景技術】
【０００２】
従来、記録用紙を裁断する種々の技術が知られている。例えば、イメージスキャナーを備えるシュレッダーが開示されている（特許文献１参照）。
【０００３】
具体的には、特許文献１に記載のシュレッダーは、案内通路、イメージスキャナー、及び、記憶装置を備える。案内通路は、投入口に投入された記録用紙を裁断刃に案内する。イメージスキャナーは、投入された記録用紙が案内通路を通過するときに、記録用紙のイメージ情報を読み取る。記憶装置は、イメージスキャナーで読み取ったイメージ情報を記憶する。
【０００４】
特許文献１に記載のシュレッダーによれば、誤って重要書類を投入してしまった場合であっても、必要な時に記憶装置からイメージ情報を読み出して内容を確認できる。
【先行技術文献】
【特許文献】
【０００５】
【特許文献１】特開平１０−２４９２２８号公報
【発明の概要】
【発明が解決しようとする課題】
【０００６】
しかしながら、特許文献１に記載のシュレッダーでは、スキャンされた記録用紙を１枚ずつ裁断するため、処理能力を増大する余地があった。換言すれば、シュレッダーの処理速度を、スキャン速度及び裁断速度のうち、遅い方の速度以下に設定する必要があった。
【０００７】
本発明に係る裁断装置は、上記課題に鑑みてなされたものであって、処理能力を増大することを目的としている。
【課題を解決するための手段】
【０００８】
本発明に係る裁断装置は、記録用紙を裁断する裁断装置であって、画像生成部、用紙貯留部、及び、裁断部を備える。前記画像生成部は、前記記録用紙の両面に形成された画像を読み取り、画像情報を生成する。前記用紙貯留部は、前記画像生成部によって前記画像が読み取られた前記記録用紙を、予め設定された２枚以上の第１枚数貯留する。前記裁断部は、前記用紙貯留部に貯留された前記第１枚数の前記記録用紙を同時に裁断する。
【０００９】
本発明に係る裁断方法は、記録用紙を裁断する裁断方法であって、画像生成工程、用紙貯留工程、及び、裁断工程を含む。前記画像生成工程では、前記記録用紙の両面に形成された画像を読み取り、画像情報を生成する。前記用紙貯留工程では、前記画像生成工程において前記画像が読み取られた前記記録用紙を、予め設定された２枚以上の第１枚数貯留する。前記裁断工程では、前記第１枚数の前記記録用紙を同時に裁断する。
【発明の効果】
【００１０】
本発明に係る裁断装置及び裁断方法によれば、処理能力を増大することができる。
【図面の簡単な説明】
【００１１】
【図１】本発明の実施形態に係る裁断装置の全体構成を示す図である。
【図２】制御部の構成を示すブロック図である。
【図３】記録用紙を貯留部に貯留する動作を示す図である。
【図４】記録用紙を裁断する動作を示す図である。
【図５】記録用紙を排出する動作を示す図である。
【図６】制御部の動作を示すフローチャートである。
【図７】画像読取部の動作と用紙貯留部に貯留される記録用紙の枚数の変化とを示すグラフである。図７（ａ）は、画像生成部の動作を示すグラフである。図７（ｂ）は、用紙貯留部に貯留される記録用紙の枚数の変化を示すグラフである。
【発明を実施するための形態】
【００１２】
以下、本発明の実施形態について、図面（図１〜図７）を参照しながら説明する。なお、図中、同一又は相当部分については同一の参照符号を付して説明を繰り返さない。
【００１３】
まず、図１を参照して、本発明の実施形態に係る裁断装置１について説明する。図１は、本発明の実施形態に係る裁断装置１の全体構成を示す図である。図１に示すように、裁断装置１は、筐体１０、給紙トレイ１１、画像読取ユニット１２、搬送部１３、分岐部１４、排出トレイ１５、用紙貯留部１６、裁断部１７、紙片収容部１８、及び、制御部１９を備える。筐体１０は、搬送部１３、分岐部１４、用紙貯留部１６、裁断部１７、及び、紙片収容部１８を収容する。また、筐体１０には、開口部１０１が形成されている。
【００１４】
給紙トレイ１１には、裁断される記録用紙Ｐ（以下、単に、用紙Ｐと記載する）が積層して載置される。画像読取ユニット１２は、画像読取部１２１、１２２、及び、レジストローラー対１２３を備える。レジストローラー対１２３は、給紙トレイ１１に載置された用紙Ｐのうち、最上位置の用紙Ｐを画像読取部１２１、１２２に供給する。画像読取部１２１は、用紙Ｐの表面の画像を読み取り、画像情報を生成する。画像読取部１２２は、用紙Ｐの裏面の画像を読み取り、画像情報を生成する。画像読取部１２１、１２２は、それぞれ、ＬＥＤ（Ｌｉｇｈｔ  Ｅｍｉｔｔｉｎｇ  Ｄｉｏｄｅ）、コンタクトガラス、結像レンズ及びイメージセンサーを備え、これらの各部材が一体化されたＣＩＳ（Ｃｏｎｔａｃｔ  Ｉｍａｇｅ  Ｓｅｎｓｏｒ）である。なお、画像読取部１２１、１２２は、「画像生成部」の一部に相当する。
【００１５】
搬送部１３は、画像読取ユニット１２から排出された用紙Ｐを、分岐部１４を経由して、用紙貯留部１６に積層する。また、用紙貯留部１６に積層された用紙Ｐの枚数Ｎが予め設定された第１枚数ＮＡに到達したときに、搬送部１３は、第１枚数ＮＡの用紙Ｐを用紙貯留部１６から裁断部１７へ供給する。搬送部１３の詳細については、図３〜図５を参照して後述する。
【００１６】
分岐部１４は、用紙Ｐを排出トレイ１５に排出する第１経路Ｒ１と、用紙Ｐを用紙貯留部１６へ搬送する第２経路Ｒ２とを切り換える。分岐部１４の詳細については、図４及び図５を参照して後述する。排出トレイ１５は、分岐部１４及び開口部１０１を経由して排出された用紙Ｐを積層して載置する。
【００１７】
用紙貯留部１６は、画像読取ユニット１２から排出され、分岐部１４を経由して搬送された用紙Ｐを積層する。また、用紙貯留部１６は、上側ローラー１６１及び下側ローラー１６２を備える。上側ローラー１６１は昇降自在に構成され、モーター駆動される。下側ローラー１６２は、積層される用紙Ｐを支持する従動ローラーである。用紙貯留部１６に積層された用紙Ｐを裁断部１７に搬送する場合に、上側ローラー１６１は下降され、積層された用紙Ｐを下側ローラー１６２との間で挟持する。
【００１８】
裁断部１７は、用紙貯留部１６から搬送された第１枚数ＮＡの用紙Ｐを裁断する。具体的には、裁断部１７は、用紙Ｐを裁断する１対の裁断刃が互いに交差するように配置されている。また、１対の裁断刃は減速機を介してモーターに連結されている。モーターは、正逆回転可能に構成されている。紙片収容部１８は、用紙Ｐが裁断された紙片を収容する。
【００１９】
制御部１９は、裁断装置１の動作を制御する。図２を参照して、制御部１９の構成について説明する。制御部１９は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及び、不揮発性メモリーを備える。ＣＰＵは、ＲＯＭに記憶された制御プログラムを実行することによって、各種機能部として機能する。不揮発性メモリーは、ＣＰＵがＲＯＭに格納された制御プログラムを実行することによって、各種機能部として機能する。不揮発性メモリーは、例えば、半導体メモリーである。ＲＡＭは、ＣＰＵが制御プログラムを実行する際の作業領域として用いられる。
【００２０】
制御部１９は、画像生成部１９１、枚数判定部１９２、搬送制御部１９３、過負荷検出部１９４、枚数更新部１９５、白紙判定部１９６、強制排出部１９７、及び、画像記憶部１９８を備える。
【００２１】
画像記憶部１９８は、画像生成部１９１が生成した画像情報を記憶する。画像記憶部１９８に記憶された画像情報は、必要に応じて読み出される。ただし、画像記憶部１９８に記憶された画像情報が無制限に読み出されることを防止するために、例えば、ユーザー認証を行う。ユーザー認証が成功した場合に限って、画像記憶部１９８に記憶された画像情報が読み出される。
【００２２】
画像生成部１９１は、画像読取ユニット１２を介して、用紙Ｐの表面及び裏面の画像を読み取り、画像情報を生成する。また、画像生成部１９１は、生成された画像情報を画像記憶部１９８に書き込む。なお、画像生成部１９１は、「画像生成部」の一部に相当する。
【００２３】
枚数判定部１９２は、用紙貯留部１６に貯留された用紙Ｐの枚数Ｎが第１枚数ＮＡに到達したか否かを判定する。本実施形態では、第１枚数ＮＡは、例えば、３枚である。
【００２４】
搬送制御部１９３は、枚数判定部１９２が、用紙Ｐの枚数Ｎが第１枚数ＮＡに到達したと判定したときに、搬送部１３に、第１枚数ＮＡの用紙Ｐを裁断部１７へ搬送させる。搬送制御部１９３の詳細については、図３〜図５を参照して後述する。
【００２５】
過負荷検出部１９４は、裁断部１７が過負荷で停止したことを検出する。具体的には、裁断部１７を構成するモーターが過負荷で停止したことを検出する。例えば、裁断部１７を構成する１対の裁断刃に異物が挟まれた場合、１対の裁断刃に第１枚数ＮＡの用紙Ｐが２重に折り畳まれて挿入された場合、又は、１対の裁断刃が刃欠け、摩耗によって切れ味が低下した場合に、モーターが過負荷になることがある。なお、裁断部１７は、裁断刃を駆動するモーターが過負荷になると、モーターの損傷を防止するために、モーターの駆動を停止するように構成されている。
【００２６】
枚数更新部１９５は、過負荷検出部１９４が、裁断部１７が過負荷で停止したことを検出したときに、第１枚数ＮＡから第２枚数ΔＮを減じて、第１枚数ＮＡを更新する。第２枚数ΔＮは、第１枚数ＮＡ未満の枚数に予め設定される。本実施形態では、第２枚数ΔＮは、例えば、１枚である。
【００２７】
白紙判定部１９６は、画像生成部１９１によって生成された画像情報に基づいて、用紙Ｐが、両面に画像が形成されていない白紙であるか否かを判定する。具体的には、白紙判定部１９６は、画像生成部１９１によって生成された画像情報に含まれる画素値に基づいて白紙であるか否かを判定する。更に、具体的には、用紙Ｐの表面の画像を構成する画素のうち、予め設定された所定割合以上の画素数の画素値が白色を示す場合に、白紙判定部１９６は、用紙Ｐの表面に画像が形成されていないと判定する。同様に、用紙Ｐの裏面の画像を構成する画素のうち、所定割合以上の画素数の画素値が白色を示す場合に、白紙判定部１９６は、用紙Ｐの裏面に画像が形成されていないと判定する。そして、両面に画像が形成されていないと判定した場合に、白紙判定部１９６は、用紙Ｐが白紙であると判定する。なお、所定割合は、例えば、９９．９９％である。
【００２８】
強制排出部１９７は、白紙判定部１９６が、用紙Ｐが白紙であると判定したときに、分岐部１４に対して用紙Ｐを裁断部１７へ搬送せずに排出させる。具体的には、白紙判定部１９６が、用紙Ｐが白紙であると判定したときに、強制排出部１９７は、分岐部１４に対して、第２経路Ｒ２から第１経路Ｒ１に切り換えさせる。強制排出部１９７の詳細については、図５を参照して後述する。
【００２９】
次に、図３〜図５を参照して、裁断装置１の動作について説明する。まず、図３を参照して、用紙貯留部１６に貯留された用紙Ｐの枚数Ｎが第１枚数ＮＡに到達していないときの裁断装置１の動作について説明する。図３は、用紙Ｐを用紙貯留部１６に貯留する動作を示す図である。まず、画像読取ユニット１２が用紙Ｐの画像を読み取る。そして、白紙判定部１９６が白紙であるか否かを判定する。図３では、白紙判定部１９６が白紙ではないと判定する。次に、搬送部１３が、矢印ＡＲ１１に示すように、分岐部１４に向けて搬送する。そして、用紙Ｐが白紙ではないため、分岐部１４が用紙Ｐを用紙貯留部１６へ搬送する第２経路Ｒ２に切り換える。具体的には、分岐部１４の側面１４１が用紙Ｐを用紙貯留部１６に向かうようにガイドする。次に、矢印ＡＲ１２に示すように、搬送部１３が第２経路Ｒ２を経由して用紙Ｐを用紙貯留部１６へ搬送する。そして、用紙Ｐは用紙貯留部１６に積層され、蓄積される。なお、用紙貯留部１６の上側ローラー１６１は、用紙Ｐから離間した位置（上昇位置）にあり、用紙貯留部１６に積層された用紙Ｐは、裁断部１７には搬送されない。また、用紙貯留部１６の下側ローラー１６２は、積層された用紙Ｐを支持する。
【００３０】
次に、図４を参照して、用紙貯留部１６に貯留された用紙Ｐの枚数Ｎが第１枚数ＮＡに到達したときの裁断装置１の動作について説明する。図４は、用紙Ｐを裁断する動作を示す図である。まず、画像読取ユニット１２が用紙Ｐの画像を読み取る。そして、白紙判定部１９６が白紙であるか否かを判定する。図４では、白紙判定部１９６が白紙ではないと判定する。次に、搬送部１３が、矢印ＡＲ２１に示すように、分岐部１４に向けて搬送する。そして、用紙Ｐが白紙ではないため、分岐部１４が用紙Ｐを用紙貯留部１６へ搬送する第２経路Ｒ２に切り換える。
【００３１】
次に、矢印ＡＲ２２に示すように、搬送部１３が第２経路Ｒ２を経由して用紙Ｐを用紙貯留部１６へ搬送する。そして、用紙Ｐは用紙貯留部１６に積層され、蓄積される。次に、枚数判定部１９２が、用紙貯留部１６に貯留された用紙Ｐの枚数Ｎが第１枚数ＮＡに到達したと判定する。そして、搬送制御部１９３が、搬送部１３に対して、第１枚数ＮＡの用紙Ｐを裁断部１７へ搬送させる。具体的には、用紙貯留部１６の上側ローラー１６１が、下側ローラー１６２との間で用紙Ｐを挟持した位置（下降位置）に移動する。そして、上側ローラー１６１が回転駆動され、用紙貯留部１６に積層された用紙Ｐが、矢印ＡＲ２３に示すように、裁断部１７に搬送される。次に、裁断部１７が、矢印ＡＲ２４に示すように、用紙貯留部１６から搬送された第１枚数ＮＡの用紙Ｐを裁断する。そして、裁断された用紙Ｐの紙片が、紙片収容部１８に収容される。
【００３２】
次に、図５を参照して、用紙Ｐが白紙であるときの裁断装置１の動作について説明する。図５は、用紙Ｐを排出する動作を示す図である。まず、画像読取ユニット１２が用紙Ｐの画像を読み取る。そして、白紙判定部１９６が白紙であるか否かを判定する。図４では、白紙判定部１９６が白紙であると判定する。次に、搬送部１３が、矢印ＡＲ３１に示すように、分岐部１４に向けて搬送する。そして、用紙Ｐが白紙であるため、分岐部１４が用紙Ｐを排出トレイ１５に排出する第１経路Ｒ１に切り換える。具体的には、分岐部１４が下降し、分岐部１４の上面１４２が用紙Ｐを排出トレイ１５に向かうようにガイドする。搬送部１３は、矢印ＡＲ３２に示すように、第１経路Ｒ１を経由して、用紙Ｐを排出トレイ１５に排出する。
【００３３】
次に、図６を参照して、制御部１９の動作について説明する。図６は、制御部１９の動作を示すフローチャートである。まず、画像生成部１９１が、用紙Ｐの表面及び裏面の画像を読み取り、画像情報を生成する（ステップＳ１０１）。次に、白紙判定部１９６が、用紙Ｐが白紙であるか否かを判定する（ステップＳ１０３）。用紙Ｐが白紙ではないと判定した場合（ステップＳ１０３でＮＯ）には、処理がステップＳ１０７に進む。用紙Ｐが白紙であると判定した場合（ステップＳ１０３でＹＥＳ）には、処理がステップＳ１０５に進む。そして、強制排出部１９７が用紙Ｐを裁断部１７へ搬送せずに、排出トレイ１５に排出する（ステップＳ１０５）。そして処理がステップＳ１０１に戻る。
【００３４】
ステップＳ１０３でＮＯの場合には、搬送制御部１９３が用紙Ｐを用紙貯留部１６に搬送する（ステップＳ１０７）。そして、枚数判定部１９２が、用紙貯留部１６に貯留されている用紙Ｐの枚数Ｎを「１」だけインクリメントする（ステップＳ１０９）。次に、枚数判定部１９２が、枚数Ｎが第１枚数ＮＡに到達したか否かを判定する（ステップＳ１１１）。枚数Ｎが第１枚数ＮＡに到達したと判定した場合（ステップＳ１１１でＹＥＳ）には、処理がステップＳ１１５に進む。枚数Ｎが第１枚数ＮＡに到達していないと判定した場合（ステップＳ１１１でＮＯ）には、処理がステップＳ１１３に進む。そして、搬送制御部１９３が、用紙Ｐを用紙貯留部１６に貯留する（ステップＳ１１３）。次いで、処理がステップＳ１０１に戻る。
【００３５】
ステップＳ１１１でＹＥＳの場合には、枚数判定部１９２が、枚数Ｎを「０（零）」に初期化する（ステップＳ１１５）。そして、搬送制御部１９３が、第１枚数ＮＡの用紙Ｐを裁断部１７へ搬送する（ステップＳ１１７）。次に、裁断部１７が、第１枚数ＮＡの用紙Ｐを裁断する（ステップＳ１１９）。そして、過負荷検出部１９４が、裁断部１７が過負荷で停止したか否かを判定する（ステップＳ１２１）。過負荷で停止してはいないと判定した場合（ステップＳ１２１でＮＯ）には、処理がステップＳ１２９に進む。過負荷で停止したと判定した場合（ステップＳ１２１でＹＥＳ）には、処理がステップＳ１２３に進む。そして、過負荷検出部１９４が、裁断を停止する（ステップＳ１２３）。次に、枚数更新部１９５が、第１枚数ＮＡから第２枚数ΔＮ（例えば、１枚）を減じて、第１枚数ＮＡを更新する（ステップＳ１２５）。次に、過負荷検出部１９４が、裁断部１７の復旧が完了したか否かを判定する（ステップＳ１２７）。裁断部１７の復旧が完了していないと判定した場合（ステップＳ１２７でＮＯ）には、処理が待機状態になる。裁断部１７の復旧が完了したと判定した場合（ステップＳ１２７でＹＥＳ）には、処理がステップＳ１１９に戻る。
【００３６】
ステップＳ１２１でＮＯの場合には、過負荷検出部１９４が、裁断が終了したか否かを判定する（ステップＳ１２９）。裁断が終了したと判定した場合（ステップＳ１２９でＹＥＳ）には、処理がリターンする（ステップＳ１０１に戻る）。裁断が終了していないと判定した場合（ステップＳ１２９でＮＯ）には、処理がステップＳ１１９に戻る。
【００３７】
なお、ステップＳ１０１が「画像生成工程」に相当する。また、ステップＳ１１３が「用紙貯留工程」に相当する。更に、ステップＳ１１９が「裁断工程」に相当する。
【００３８】
次に、図７を参照して、画像読取部１２１、１２２の動作と用紙貯留部１６に貯留される用紙Ｐの枚数Ｎの推移について説明する。図７（ａ）は、画像生成部１９１の動作を示すグラフＧ１である。横軸は時間Ｔを示し、縦軸は、画像読取部１２１、１２２が用紙Ｐの画像を読み取り中であるか否かを示す。図７（ａ）では、画像を読み取り中である場合に、画像読取部１２１、１２２の状態を示すフラグＳＣがＯＮであるとし、画像を読み取り中である場合に、画像読取部１２１、１２２の状態を示すフラグＳＣがＯＦＦであるとする。
【００３９】
時点Ｔ１において、画像読取部１２１、１２２が用紙Ｐの画像の読み取りを開始し、時点Ｔ２において、用紙Ｐの画像の読み取りを終了する。また、時点Ｔ３において、画像読取部１２１、１２２が次の用紙Ｐの画像の読み取りを開始し、時点Ｔ４において、用紙Ｐの画像の読み取りを終了する。同様にして、時点Ｔ５、Ｔ７、Ｔ９、Ｔ１１、Ｔ１３、Ｔ１５において、画像読取部１２１、１２２が、給紙トレイ１１に積層された用紙Ｐの画像の読み取りを順次開始し、時点Ｔ６、Ｔ８、Ｔ１０、Ｔ１２、Ｔ１４、Ｔ１６において、用紙Ｐの画像の読み取りを終了する。
【００４０】
次に、図７（ｂ）を参照して、用紙貯留部１６に貯留される用紙Ｐの枚数Ｎの推移について説明する。図７（ｂ）は、用紙貯留部１６に貯留される用紙Ｐの枚数Ｎの変化を示すグラフＧ２である。横軸は時間Ｔを示し、縦軸は、用紙貯留部１６に貯留される用紙Ｐの枚数Ｎを示す。
【００４１】
時点Ｔ２で、用紙Ｐの画像の読み取りが終了すると、図３を参照して説明したように、搬送部１３が用紙Ｐを用紙貯留部１６へ搬送する。用紙Ｐの画像の読み取りが終了してから、用紙Ｐの用紙貯留部１６への搬送が終了するまでに時間ＴＡを要する。すなわち、時点Ｔ２から時間ＴＡ経過後の時点Ｔ２１で、枚数Ｎが１枚になる。そして、時点Ｔ４から時間ＴＡ経過後の時点Ｔ２２で、枚数Ｎが２枚になる。更に、時点Ｔ６から時間ＴＡ経過後の時点Ｔ２３で、枚数Ｎが３枚になる。本実施形態では、第１枚数ＮＡが３枚であるため、時点Ｔ２３で用紙貯留部１６に載置された第１枚数ＮＡの用紙Ｐが裁断部１７へ搬送され、裁断される。
【００４２】
裁断部１７への搬送が開始されてから第１枚数ＮＡの用紙Ｐの裁断が完了するまでに時間ＴＳを要する。すなわち、時点Ｔ２３から時間ＴＳ経過後の時点Ｔ２５で、第１枚数ＮＡの用紙Ｐの裁断が完了する。一方、時点Ｔ８から時間ＴＡ経過後の時点Ｔ２４で、搬送部１３が用紙Ｐを用紙貯留部１６へ搬送する。また、本実施形態では、時点Ｔ２５は時点Ｔ２４よりも後であるから、時点Ｔ２５において、枚数Ｎは１枚になる。換言すれば、第１枚数ＮＡの用紙Ｐを裁断している間（時間ＴＳの間）に、画像読取部１２１、１２２が１枚の用紙Ｐの画像を読み取り、搬送部１３が用紙Ｐを用紙貯留部１６へ搬送する。
【００４３】
そして、時点Ｔ１０から時間ＴＡ経過後の時点Ｔ２６で、枚数Ｎが２枚になる。更に、時点Ｔ１２から時間ＴＡ経過後の時点Ｔ２７で、枚数Ｎが３枚になる。本実施形態では、第１枚数ＮＡが３枚であるため、時点Ｔ２７で用紙貯留部１６に載置された第１枚数ＮＡの用紙Ｐが裁断部１７へ搬送され、裁断される。時点Ｔ２７から時間ＴＳ経過後の時点Ｔ２９で、第１枚数ＮＡの用紙Ｐの裁断が完了する。一方、時点Ｔ１４から時間ＴＡ経過後の時点Ｔ２８で、搬送部１３が用紙Ｐを用紙貯留部１６へ搬送する。また、時点Ｔ２９は、時点Ｔ２８より後であるから、時点Ｔ２９において、枚数Ｎは１枚になる。
【００４４】
図１〜図７を参照して説明したように、画像生成部１９１が画像読取部１２１、１２２を介して、用紙Ｐの両面に形成された画像を読み取り、画像情報を生成する。また、用紙貯留部１６が、画像生成部１９１によって画像が読み取られた用紙Ｐを、予め設定された２枚以上の第１枚数ＮＡ（例えば、３枚）貯留する。裁断部１７が、第１枚数ＮＡの用紙Ｐを同時に裁断する。すなわち、画像生成部１９１によって画像が読み取られた用紙Ｐは、用紙貯留部１６に貯留される。また、裁断部１７は、用紙貯留部１６に貯留された第１枚数ＮＡの用紙Ｐを同時に裁断する。よって、画像生成部１９１（画像読取部１２１、１２２）と裁断部１７とを別々に動作させることができる。その結果、裁断装置１の処理能力を増大することができる。
【００４５】
また、搬送部１３が、用紙Ｐを搬送する。そして、枚数判定部１９２が、用紙貯留部１６に貯留された用紙Ｐの枚数Ｎが第１枚数ＮＡに到達したか否かを判定する。枚数判定部１９２が、用紙Ｐの枚数Ｎが第１枚数ＮＡに到達したと判定したときに、搬送制御部１９３が、搬送部１３に対して、第１枚数ＮＡの用紙Ｐを裁断部１７へ搬送させる。よって、裁断部１７が、用紙貯留部１６に貯留された第１枚数ＮＡの用紙Ｐを同時に裁断することができる。その結果、裁断装置１の処理能力を更に増大することができる。
【００４６】
更に、過負荷検出部１９４が、裁断部１７が過負荷で停止したことを検出する。そして、過負荷検出部１９４が、裁断部１７が過負荷で停止したことを検出したときに、枚数更新部１９５が、第１枚数ＮＡから第２枚数ΔＮを減じて、第１枚数ＮＡを更新する。よって、裁断部１７が過負荷で停止した場合に、第１枚数ＮＡが減少するため、裁断部１７の負荷を軽減できる。したがって、裁断部１７が過負荷で停止することを抑制できる。
【００４７】
加えて、白紙判定部１９６が、用紙Ｐが両面に画像が形成されていない白紙であるか否かを、画像生成部１９１によって生成された画像情報に基づいて、判定する。また、白紙判定部１９６が、用紙Ｐが白紙であると判定したときに、強制排出部１９７が、搬送部１３に対して用紙Ｐを裁断部１７へ搬送せずに排出させる。よって、白紙が裁断されることを抑制できる。したがって、白紙を再利用することができる。
【００４８】
また、分岐部１４は、用紙Ｐを排出する第１経路Ｒ１と、用紙Ｐを用紙貯留部１６へ搬送する第２経路Ｒ２とを切り換える。分岐部１４は、画像読取部１２１、１２２に対して用紙Ｐの搬送方向の下流側であって、用紙貯留部１６に対して用紙Ｐの搬送方向の上流側に配置される。また、白紙判定部１９６が、用紙Ｐが白紙であると判定したときに、強制排出部１９７は、分岐部１４を第２経路Ｒ２から第１経路Ｒ１へ切り換える。よって、白紙を裁断部１７へ搬送せずに確実に排出することができる。したがって、白紙を確実に再利用することができる。
【００４９】
更に、画像生成部１９１が、用紙Ｐの両面に形成された画像を読み取り、画像情報を生成する。そして、この画像情報を画像記憶部１９８が記憶する。よって、裁断される用紙Ｐに形成されていた画像に対応する画像情報を記録することができる。したがって、用紙Ｐを誤って裁断した場合に、この用紙Ｐに記載されていた画像を確認することができる。
【００５０】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００５１】
（１）図２を参照して説明したように、裁断部１７が過負荷で停止したときに枚数更新部１９５は、第１枚数ＮＡから第２枚数ΔＮを減じて第１枚数ＮＡを更新する形態について説明したが、これに限定されない。予め設定された２回以上の所定回数（例えば、５回）連続して裁断部１７が過負荷で停止したときに、枚数更新部１９５が、第１枚数ＮＡから第２枚数ΔＮを減じて第１枚数ＮＡを更新する形態でもよい。この形態では、上記所定回数を適正な回数に設定することによって、更に適正に第１枚数ＮＡを更新することができる。また、例えば、ユーザーからの操作入力に基づいて、枚数更新部１９５が、第１枚数ＮＡから第２枚数ΔＮを減じて第１枚数ＮＡを更新する形態でもよい。
【００５２】
（２）図２を参照して説明したように、所定割合以上の画素数の画素値が白色を示す場合に、白紙判定部１９６が、用紙Ｐの表面（又は、裏面）に画像が形成されていないと判定する形態について説明したが、これに限定されない。白紙判定部１９６が、画像情報に基づいて、用紙Ｐが白紙であるか否かを判定する形態であればよい。例えば、白紙判定部１９６が、予め設定された所定濃度以上の画素値の個数が、予め設定された所定個数以下である場合に白紙であると判定する形態でもよい。
【００５３】
（３）図７を参照して説明したように、裁断部１７が第１枚数ＮＡの用紙Ｐを裁断している間に、用紙貯留部１６に用紙Ｐを貯留する場合がある。よって、裁断中の用紙Ｐと、用紙貯留部１６に載置される用紙Ｐとが干渉しないように、裁断部１７及び用紙貯留部１６が配置されていることが好ましい。具体的には、裁断部１７と用紙貯留部１６とが、裁断可能な最大サイズの用紙Ｐの搬送方向の長さ以上離間して配置されていることが好ましい。
【産業上の利用可能性】
【００５４】
本発明は、裁断装置及び裁断方法の分野に利用することができる。
【符号の説明】
【００５５】
１    裁断装置
１０    筐体
１０１    開口部
１１    給紙トレイ
１２    画像読取ユニット
１２１、１２２    画像読取部（画像生成部の一部）
１２３    レジストローラー対
１３    搬送部
１４    分岐部
１４１    側面
１４２    上面
１５    排出トレイ
１６    用紙貯留部
１６１    上側ローラー
１６２    下側ローラー
１７    裁断部
１８    紙片収容部
１９    制御部
１９１    画像生成部（画像生成部の一部）
１９２    枚数判定部
１９３    搬送制御部
１９４    過負荷検出部
１９５    枚数更新部
１９６    白紙判定部
１９７    強制排出部
１９８    画像記憶部
Ｐ    記録用紙
Ｒ１    第１経路
Ｒ２    第２経路
【図１】
2017064628.tif 000003
【図２】
2017064628.tif 000004
【図３】
2017064628.tif 000005
【図４】
2017064628.tif 000006
【図５】
2017064628.tif 000007
【図６】
2017064628.tif 000008
【図７】
2017064628.tif 000009